【手続補正書】
【提出日】平成15年4月17日(2003.4.17)
【手続補正１】
【補正対象書類名】明細書
【補正対象項目名】特許請求の範囲
【補正方法】変更
【補正の内容】
【特許請求の範囲】
【請求項１】
作動すると薬物を自動的に自己投与する、事前充填した薬物を含む自動注射装置であって、
内部チャンバを有し、該内部チャンバが、所定量の乾燥し充填された乾燥薬物を中に保存するための乾区画、および所定量の液体注射溶液を中に保存するための湿区画を備える、ハウジング・アセンブリと、
乾区画と湿区画の間に配置され、液体注射溶液が湿区画から乾区画へ移るときに流体の層流を作り出すフィルタ・アセンブリと、
湿区画内の液体注射溶液を加圧して湿区画内の液体注射溶液を乾区画に移動させるための起動アセンブリであって、液体注射溶液が乾区画を通過するときに、乾燥薬物が液体注射溶液に溶ける、起動アセンブリと、
乾燥薬物を中に溶かして含む液体注射溶液を投与するための針アセンブリとを備える自動注射装置。
【請求項２】
前記フィルタ・アセンブリに隣接して配置され、湿区画内の液体注射溶液を加圧する前に、液体注射溶液が湿区画から乾区画へ移動するのを防ぐプランジャ・アセンブリをさらに備える、請求項１に記載の自動注射装置。
【請求項３】
前記プランジャ・アセンブリが、液体注射溶液を湿区画から乾区画へ移動するための通路と、湿区画内の液体注射溶液の加圧前に液体注射溶液が湿区画から乾区画へ移動するのを防ぐための膜アセンブリとを備える、請求項２に記載の自動注射装置。
【請求項４】
前記プランジャ・アセンブリが、湿区画内の液体注射溶液の加圧中に、第１の位置から第２の位置へ移動し、それによって、該プランジャ・アセンブリと内部チャンバの間に流体通路が開通して、液体注射流体が湿区画から乾区画へ通過できるようにする、請求項２に記載の自動注射装置。
【請求項５】
前記湿区画が第１の直径であり、前記乾区画が第２の直径であり、この第２の直径が第１の直径よりも大きい、請求項４に記載の自動注射装置。
【請求項６】
前記内部チャンバ内に配置され、溶けていない乾燥薬物が針アセンブリに入るのを防ぐ乾燥薬物支持構造をさらに含む、請求項１に記載の自動注射装置。
【請求項７】
前記フィルタ・アセンブリは、液体注射溶液がフィルタ・アセンブリを通過するときに、乾区画内で移動可能である、請求項１に記載の自動注射装置。
【請求項８】
前記フィルタ・アセンブリは、液体注射溶液がフィルタ・アセンブリを通過するときに、乾燥薬物を加圧下に維持する、請求項７に記載の自動注射装置。
【請求項９】
作動させると、薬物を自動的に自己投与する、事前充填した薬物を含む自動注射装置であって、
内部チャンバを有し、該内部チャンバが乾燥薬物成分を入れる乾区画、および乾燥成分と混合すべき液体成分を入れる湿区画を備える、ハウジング・アセンブリと、
乾区画と湿区画の間の封止構造であって、最初は、乾燥成分を湿成分から密封しておく封止状態にあり、前記装置の起動化の結果、混合状態に変わる封止構造と、
液体成分と乾燥薬物成分の間に配置された流体分散部材と、
充填された薬物をハウジングから投与する針アセンブリと、
ハウジングによって担持され、保存エネルギー源を備える起動アセンブリであって、この起動アセンブリの起動化により、保存エネルギーが保存エネルギー源から放出され、この保存エネルギー源の放出により、ａ）封止構造を封止状態から混合状態に変え、それによって液体成分が封止構造を通過できるようにさせ、ｂ）液体成分を流体分散部材を強制的に通過させ、乾区画に分散し、乾燥薬物成分が液体成分に混合され溶けるのを促進し、ｃ）混合した液体および固体成分を針アセンブリを通って押し出す起動アセンブリとを備える装置。
【請求項１０】
前記流体分散部材がフィルタを備える、請求項９に記載の自動注射装置。
【請求項１１】
前記封止構造が、封止アセンブリおよび該封止アセンブリに担持された破裂可能な膜を備える、請求項９に記載の自動注射装置。
【請求項１２】
前記封止アセンブリが、内部チャンバの内部壁と共に周囲の封止を形成する外周部と、封止構造内に形成された通路を封止する周囲封止部から半径方向内側に間隔を置いて配置された内側封止部とを有する、請求項１１に記載の自動注射装置。
【請求項１３】
前記起動アセンブリが予め圧縮されたばねを備える、請求項９に記載の自動注射装置。
【請求項１４】
前記封止構造および前記分散部材が、単一のアセンブリに統合される、請求項９に記載の自動注射装置。
【請求項１５】
前記針アセンブリがハウジング・アセンブリの前方の端部に向けて配置され、前記起動アセンブリがハウジング・アセンブリの後方の端部に向けて配置され、乾燥薬物が液体成分の前方に配置される、請求項９に記載の自動注射装置。
【請求項１６】
前記活動化アセンブリが、ハウジングを通ってコレット・ロッドを前方に押し進める予め圧縮されたばねを備え、このコレット・ロッドの前方への移動により、液体成分が封止構造を強制的に混合状態にさせるための十分な圧力を生み出す、請求項１５に記載の自動注射装置。
【請求項１７】
前記乾燥薬物成分と前記針アセンブリの間に配置された乾燥薬物支持構造をさらに備える、請求項１６に記載の自動注射装置。
【請求項１８】
前記封止構造が破裂可能な膜を組み込む、請求項１６に記載の自動注射装置。
【請求項１９】
前記封止構造が、コレット・ロッドが前方に移動するときにハウジングに対して前方に移動可能である、請求項１６に記載の自動注射装置。
【請求項２０】
作動させると、薬物を自動的に自己投与する、事前充填した薬物を含む自動注射装置であって、
内部チャンバを有し、該内部チャンバが乾燥薬物成分を入れる乾区画、および乾燥薬物成分と混合すべき液体成分を入れる湿区画を備える、ハウジング・アセンブリと、
乾区画と湿区画の間の封止構造であって、最初は、乾燥成分を湿成分から密封しておく封止状態にあり、装置の起動化の結果、混合状態に変わり、
内部チャンバの隣接する表面に対して摺動可能に配置された周囲封止部を形成する周囲を有し、装置の起動前に封止構造内に形成された通路を封止する周囲封止部から半径方向内側に間隔を置いて配置された内側封止部を有し、この内側封止部が、封止状態から、流体が封止構造内の通路を通って流れることができる混合状態に変化可能である、封止構造と、
充填した薬物をハウジングから投与する針アセンブリと、
ハウジングによって担持され、保存エネルギー源を備える起動アセンブリであって、この起動アセンブリの起動化により、保存エネルギーが保存エネルギー源から放出され、この保存エネルギー源の放出により、ａ）封止構造を封止状態から混合状態に変え、それによって液体成分が封止構造を通過できるようにさせ、ｂ）混合した液体成分および乾燥成分を針アセンブリを強制的に通過させる起動アセンブリとを備える装置。
【請求項２１】
前記内側封止部が破裂可能な膜である、請求項２０に記載の自動注射装置。
【請求項２２】
前記液体成分と前記乾燥薬物成分の間に配置された流体分散部材をさらに備える、請求項２０に記載の自動注射装置。
【請求項２３】
前記流体分散部材がフィルタを備える、請求項２２に記載の自動注射装置。
【請求項２４】
前記流体分散部材が、針アセンブリから後方に間隔を置いて配置された最初の位置から、最初の位置に対して針アセンブリにより接近して配置された最終位置まで移動する、請求項２２に記載の自動注射装置。
【請求項２５】
前記封止構造が、針アセンブリから後方に間隔を置いて配置された最初の位置から、最初の位置に対して針アセンブリにより接近して配置された最終位置まで移動する、請求項２０に記載の自動注射装置。
【請求項２６】
前記起動アセンブリが予め圧縮されたばねを備える、請求項２０に記載の自動注射装置。
【請求項２７】
前記封止構造および前記分散部材が単一のアセンブリに統合される、請求項２０に記載の自動注射装置。
【請求項２８】
前記内側封止部材が可動プラグである、請求項２０に記載の自動注射装置。
【請求項２９】
第１の成分を第２の成分から隔てるための、容器用分離アセンブリであって、所定の作動状態になると、第１の成分が容器内の乾燥成分と混合され、分離アセンブリが、
容器内で第１の成分と第２の成分の間で摺動可能に支持されるような構造および構成をもつ実質的に円筒形の本体を備え、
前記本体が、前記容器内で前記第１の成分と前記第２の成分の間に置かれるような構造および配置をもつ封止構造を備え、この封止構造が内側封止部を有し、該内側封止部材が、最初は、乾燥成分を第１の成分から密封しておく封止状態にあり、内側封止部が、所定の作動状態に呼応して混合状態に変わり、第１の成分が封止構造を通って流れて第２の成分と混合し、
本体がさらに、封止構造に隣接して配置され、所定の作動状態に呼応して第１の成分を第２の成分に分散するための流れ分散部材を備え、
封止構造と流れ分散部材が単一ユニットを形成する、分離アセンブリ。
【請求項３０】
前記流れ分散部材がフィルタを備える、請求項２９に記載の分離アセンブリ。
【請求項３１】
前記封止構造が封止アセンブリを備え、前記内側封止部がこの封止アセンブリによって担持される破裂可能な膜を備える、請求項２９に記載の分離アセンブリ。
【請求項３２】
前記封止アセンブリが、容器の内側壁と共に周囲の封止を形成するように構築され配置される外周部を有する、請求項３１に記載の分離アセンブリ。